(57)【要約】本発明は、１ｘページング情報をＨＲＰＤネットワークを介して送信し、デュアルモードＭＳ／ＡＴにより１ｘページング情報に対して応答する方法を提供する。ＭＳ／ＡＴがＨＲＰＤネットワークに転換し、関連情報をＭＳＣに知らせた後に、１ｘページング情報が到達すると、ＭＳＣは、１ｘサービス到達を知らせるメッセージをＰＣＦに送信する。ＨＲＰＤ ＡＮは、ＭＳ／ＡＴに送信するための１ｘサービスパケット内のＰＣＦから送信された呼出情報を運搬する１ｘサービス到達メッセージを有する。１ｘサービス到達メッセージを受信したユーザーが１ｘ呼の受諾を選択すると、ＭＳ／ＡＴは、ＨＲＰＤネットワークのサービスを終了し、“ページング応答”メッセージを１ｘＢＳに送信するために、１ｘネットワークに転換する。
2009517894.tif 000002
【特許請求の範囲】
【請求項１】
１ｘページング情報をＨＲＰＤネットワークを介して送信し、ＭＳ／ＡＴにより前記１ｘページング情報に応答する方法であって、
ａ）ＭＳＣが１ｘサービス到達を知らせる呼出情報を含む１ｘサービス到達メッセージをＰＣＦに送信するステップと、
ｂ）前記ＰＣＦが前記ＭＳＣから伝達された１ｘサービス到達メッセージに従って、前記呼出情報を運搬するメッセージをＨＲＰＤ ＡＮに送信するステップと、
ｃ）前記ＨＲＰＤ ＡＮが前記ＰＣＦから送信された前記呼出情報を運搬する１ｘサービス到達メッセージを３Ｇ１ｘサービスパケットに含んで前記ＭＳ／ＡＴに送信するステップと、
ｄ）前記ＭＳ／ＡＴが前記メッセージに含まれた前記呼出情報をユーザーに表示するステップと、
ｅ）前記ユーザーが１ｘ呼の受諾を選択すると、前記ＭＳ／ＡＴが前記ＨＲＰＤネットワークのサービスを終了し、“ページング応答”メッセージを１ｘＢＳに送信するために１ｘネットワークに転換するステップと、
を含むことを特徴とする方法。
【請求項２】
前記ＭＳ／ＡＴは、ユーザーの拒絶を示す応答メッセージを前記ＨＲＰＤ ＡＮに送信し、前記ＨＲＰＤ ＡＮは、前記応答メッセージを前記ＰＣＦに送信し、前記ＰＣＦは、対応する拒絶メッセージを構成して前記ＭＳＣに送信するステップをさらに含むことを特徴とする請求項１に記載の方法。
【請求項３】
前記１ｘ呼到達メッセージは、拡張されたページング要請メッセージであることを特徴とする請求項１に記載の方法。
【請求項４】
前記拡張されたページング要請メッセージは、新たに付加された呼出番号要素及び呼出名称要素を含むことを特徴とする請求項３に記載の方法。
【請求項５】
前記１ｘ呼到達メッセージは、拡張された特徴通知メッセージであることを特徴とする請求項１に記載の方法。
【請求項６】
前記拡張された特徴通知メッセージは、新たに付加されたサービスオプション要素を含むことを特徴とする請求項５に記載の方法。
【請求項７】
前記１ｘ呼到達メッセージは、ページング要請メッセージと特徴通知メッセージとの組合せであることを特徴とする請求項１に記載の方法。
【請求項８】
前記ＰＣＦは、前記ＭＳＣから受信されたメッセージに従って、共通ページングメッセージを“Ａ１４-３Ｇ１ｘサービス”メッセージが含む内容として構成することを特徴とする請求項１に記載の方法。
【請求項９】
前記ＰＣＦは、前記ＭＳＣから受信されたメッセージに従って、拡張されたサービスメッセージを“Ａ１４-３Ｇ１ｘサービス”メッセージが含む内容として構成することを特徴とする請求項１に記載の方法。
【請求項１０】
前記ＨＲＰＤ ＰＣＦが前記ＭＳＣから受信した１ｘ呼到達メッセージは、前記ページング要請メッセージと前記特徴通知メッセージとの組合せであり、前記ＰＣＦは、前記ページング要請メッセージに従って、前記共通ページングメッセージを“Ａ１４-３Ｇ１ｘサービス”メッセージが含む内容として構成して前記ＨＲＰＤ ＡＮに送信し、他の“Ａ１４-３Ｇ１ｘサービス”メッセージが前記特徴通知メッセージを含むか、または、前記ＨＲＰＤ ＡＮに送信する同一の“Ａ１４-３Ｇ１ｘサービス”メッセージ内に前記共通ページングメッセージ及び前記特徴通知メッセージをすべて含むことを特徴とする請求項７に記載の方法。
【請求項１１】
前記ＨＲＰＤ ＰＣＦがＡ１４-３Ｇ１ｘサービスメッセージを前記ＨＲＰＤ ＡＮに送信する際に、クロックＴ１ｘｓｐ１４が開始され、前記ＰＣＦが前記Ａ１４-３Ｇ１ｘサービス応答メッセージを受信した後に、前記クロックＴ１ｘｓｐ１４が停止することを特徴とする請求項１に記載の方法。
【請求項１２】
前記ＨＲＰＤ ＡＮは、前記呼出情報を運搬するメッセージを前記ＰＣＦから受信した後に、対応するサービス応答メッセージを前記ＰＣＦに送信し、前記ＰＣＦは、前記サービス応答メッセージを受信した後に、クロックＴ１ｘｓｐ１４を停止させることを特徴とする請求項１に記載の方法。
【請求項１３】
前記ＨＲＰＤ ＡＮが前記ＰＣＦから受信した３Ｇ１ｘサービス到達パケットを含むメッセージは、前記ＨＲＰＤ ＡＮから前記ＭＳ／ＡＴに送信された前記ＨＲＰＤ ３Ｇ１ｘサービスパケットにより運搬される内容として使用されることを特徴とする請求項１に記載の方法。
【請求項１４】
前記１ｘページング情報を示す前記３Ｇ１ｘサービスパケットがＭＳ／ＡＴにより前記ＨＲＰＤ ＡＮから受信された後に、
前記ＭＳ／ＡＴが前記ＨＲＰＤ ＡＮにＡＣＫ情報を送信するステップと、
前記ＨＲＰＤ ＡＮが対応するＡ１４-３Ｇ１ｘ ＡＣＫメッセージを前記ＰＣＦに送信するステップと、
前記ＰＣＦが対応するページングＡＣＫメッセージを前記ＭＳＣに送信するステップと、をさらに含むことを特徴とする請求項１に記載の方法。
【請求項１５】
前記ＭＳＣは、前記１ｘ呼到達メッセージを前記ＰＣＦに送信する間に、タイミングクロックを開始することを特徴とする請求項１に記載の方法。
【請求項１６】
クロックＴ１ｘｓｐ１４がタイムアウトされる前に、前記ＡＮから受信された前記Ａ１４-３Ｇ１ｘサービスメッセージに対する応答がない場合に、前記ＰＣＦは、特定の再送信回数に到達するまでＡ１４-３Ｇ１ｘサービスメッセージを再送信することを特徴とする請求項１５に記載の方法。
【請求項１７】
前記タイミングクロックは、３ＧＰＰ２で定義されたＴ３１１３であり、前記クロックＴ３１１３は、前記ＭＳＣが前記１ｘネットワークを介して前記ページング応答メッセージを受信するか、または、前記ＨＲＰＤネットワークを介して前記拒絶メッセージを受信した後に停止することを特徴とする請求項１５に記載の方法。
【請求項１８】
前記タイミングクロックは、第１のクロック及び第２のクロックに分割され、前記第１のクロックは、前記ＭＳＣが前記１ｘ呼応答メッセージを前記ＨＲＰＤネットワークを介して前記ＭＳ／ＡＴから受信した後に停止し、前記第２のクロックは、前記ＭＳＣが前記ページング応答メッセージを１ｘネットワークを介して受信するか、または、前記拒絶メッセージを前記ＨＲＰＤネットワークを介して受信した後に停止することを特徴とする請求項１５に記載の方法。
【請求項１９】
前記クロックＴ３１１３がタイムアウトされる前に、前記１ｘネットワークを介した前記ＭＳ／ＡＴからの前記ページング応答メッセージ及び前記ＨＲＰＤネットワークを介した前記ＭＳ／ＡＴからの前記拒絶メッセージが受信されないと、前記ＭＳＣが前記特定の再送信回数に到達するまで、前記１ｘサービス到達メッセージを再送信することを特徴とする請求項１７に記載の方法。
【請求項２０】
前記第１のクロックがタイムアウトされる前に、１ｘ呼に対する応答が前記ＭＳ／ＡＴから受信されないと、前記ＭＳＣは、前記特定の再送信回数に到達するまで、前記１ｘ呼到達メッセージを再送信することを特徴とする請求項１５に記載の方法。
【請求項２１】
前記第２のクロックがタイムアウトされる前に、前記１ｘネットワークを介した前記ＭＳ／ＡＴからの前記ページング応答メッセージ及び前記ＨＲＰＤネットワークを介した前記ＭＳ／ＡＴからの前記拒絶メッセージが受信されないと、前記ＭＳＣは、前記１ｘ呼を終了することを特徴とする請求項１５に記載の方法。
【請求項２２】
前記ＭＳＣは、前記第１のクロックが停止した後に、前記第２のクロックを開始することを特徴とする請求項１５に記載の方法。
【請求項２３】
前記ＨＲＰＤネットワークでの前記ＭＳ／ＡＴは、１ｘサービスの到達を知らせるメッセージを受信した後に、ＡＣＫメッセージを応答メッセージとして前記ＡＮに送信し、前記ＡＣＫメッセージは、前記ＡＮから前記ＰＣＦに伝達された後に前記ＭＳＣに伝達されることを特徴とする請求項１に記載の方法。
【請求項２４】
前記ユーザーが前記１ｘ呼を受諾することを決定すると、前記ＭＳ／ＡＴは、前記１ｘネットワークに転換し、前記ページング応答メッセージを前記１ｘＢＳに送信し、次のメッセージフローは、３ＧＰＰ２の関連標準に従って遂行されることを特徴とする請求項１に記載の方法。
【請求項２５】
前記呼を受諾するか否かを決定する選択は、ユーザーにより時間ごとに決定されるか、または、予め定められることを特徴とする請求項１に記載の方法。
【請求項２６】
前記ＭＳ／ＡＴが前記ＡＮにユーザーの拒絶を知らせる前記応答メッセージは、３Ｇ１ｘ ＭＳ／ＡＴ拒絶命令であることを特徴とする請求項２に記載の方法。
【請求項２７】
前記ＨＲＰＤネットワーク内のＭＳ／ＡＴが前記１ｘサービスの到達を前記ＡＮに知らせる前記ＡＣＫメッセージは、パケット応答メッセージであることを特徴とする請求項２３に記載の方法。
【請求項２８】
前記ＨＲＰＤネットワーク内のＭＳ／ＡＴが前記１ｘサービスの到達を前記ＡＮに知らせる前記ＡＣＫメッセージは、３Ｇ１ｘ ＭＳ／ＡＴ ＡＣＫ命令であることを特徴とする請求項２３に記載の方法。
【請求項２９】
前記ＭＳ／ＡＴは、前記１ｘネットワークに転換した後に自動的に動作することを特徴とする請求項２４に記載の方法。
【請求項３０】
ネットワーク指示に従って２つのネットワーク間でスイッチングする装置であって、
現在の接続ネットワークを介して受信されたネットワークスイッチング指示を分析し、ＣＤＭＡ２０００モデムとＨＲＰＤモデムとの間のスイッチング動作を制御する制御部と、
現在の接続ネットワークを介して受信されたネットワークスイッチング指示を受諾する“受諾”キーと現在の接続ネットワークを介して受信されたネットワークスイッチング指示を拒絶する“拒絶”キーとを含むキーボードと、
サービスデータの符号化及び復号化、シグナリングの符号化及び復号化、物理チャネルのスペクトル拡散及び逆拡散、変調及び復調を遂行するＣＤＭＡ２０００モデムと、
サービスデータの符号化及び復号化、シグナリングの符号化及び復号化、物理チャネルのスペクトル拡散及び逆拡散、変調及び復調を遂行するＨＲＰＤモデムと、
前記ＭＳ／ＡＴの一般的な動作に必要とされるデータを格納するメモリと、
前記制御部からの信号の制御下で、無線部を前記ＣＤＭＡ２０００モデムまたは前記ＨＲＰＤモデムとそれぞれ接続するスイッチング部と、
前記スイッチング部を介して前記モデムと接続され、基底帯域デジタル信号と無線（ＲＦ）アナログ信号との間の変換を遂行し、前記ＲＦアナログ信号をアンテナを介して送受信する無線部と、
を含むことを特徴とする装置。
【請求項３１】
前記ＣＤＭＡ２０００モデム及び前記ＨＲＰＤモデムのうちの１つのみがある瞬間に動作することを特徴とする請求項３０に記載の装置。
【請求項３２】
前記制御部の制御下で、メッセージ及びアイコンを表示する表示部をさらに含むことを特徴とする請求項３０に記載の装置。
【請求項３３】
前記“受諾”キー及び前記“拒絶”キーは、前記ＭＳ／ＡＴの前記キーボードの他の機能キーと組み合わせられることを特徴とする請求項３０に記載の装置。
【請求項３４】
ネットワーク指示に従って２つのネットワーク間でスイッチングする方法であって、
現在の接続ネットワークを介してネットワークスイッチング指示を受信した後に、デュアルモードＭＳ／ＡＴの制御部が前記指示を分析し、関連情報をユーザーに表示するステップと、
前記ユーザーが“受諾”キーを押すと、前記制御部は、前記制御部の現在のネットワークに対応するモデムと現在のネットワークに関連した制御部分とをディスエーブルさせ、前記制御部のもう１つのネットワークに関連した制御部分とモデムとをイネーブルさせるステップと、
前記ユーザーが“拒絶”キーを押すと、前記デュアルモードＭＳ／ＡＴは、現在のネットワークに関連した前記制御部と前記現在のネットワークに対応するモデムとを継続して使用するステップと、
を含むことを特徴とする方法。
【請求項３５】
前記現在の接続ネットワークを介して前記デュアルモードＭＳ／ＡＴにより受信された前記ネットワークスイッチング指示は、前記２つのネットワーク間のインターフェースを介して他のネットワークから伝達されたページング情報であることを特徴とする請求項３４に記載の方法。
【請求項３６】
前記現在の接続ネットワークを介して前記デュアルモードＭＳ／ＡＴにより受信された前記ネットワークスイッチング指示は、元来のネットワークが、前記ＭＳ／ＡＴが元来のネットワークの状況に従って前記もう１つのネットワークにスイッチングすることを希望する指示であることを特徴とする請求項３４に記載の方法。
【請求項３７】
前記２つのネットワーク間のインターフェースは、Ａ１ｐインターフェースまたはもう１つのネットワーク要素間のインターフェースであることを特徴とする請求項３４に記載の方法。
【請求項３８】
前記ＣＤＭＡ２０００ネットワークにおいて、現在の接続ネットワークを介して送信された他のネットワークのページング情報内のサービスオプション部は、前記ページングが前記ＨＲＰＤネットワークからの共通ページングメッセージであるか、または、前記他のネットワークのページング情報を含むバーストデータであることを示す特定の値として設定されることを特徴とする請求項３５に記載の方法。
【請求項３９】
前記ＨＲＰＤネットワークにおいて、前記現在の接続ネットワークを介して送信された他のネットワークのページング情報は、前記１ｘネットワークのページングメッセージを含む３Ｇ１ｘデータパケットであることを特徴とする請求項３５に記載の方法。
【請求項４０】
前記デュアルモードＭＳ／ＡＴは、前記ネットワークスイッチング指示を受信した後に、事前決定に従って、前記もう１つのネットワークにスイッチングするか否かを決定することを特徴とする請求項３５に記載の方法。
【請求項４１】
前記関連情報は、呼出番号及び呼出時間を含むことを特徴とする請求項３５に記載の方法。
【発明の詳細な説明】
【技術分野】
【０００１】
本発明は、符号分割多重接続２０００ １ｘ（以下、“ＣＤＭＡ２０００ １ｘ”と称する。）ページング情報を高速送信パケットデータ（High Rate Packet Data：以下、“ＨＲＰＤ”と称する。）ネットワークを介して送信し、セッション制御／移動性管理（Session Control/Mobility Management：以下、“ＳＣ／ＭＭ”と称する。）モジュールがＨＲＰＤネットワーク内のパケット制御器（Packet Control Function：以下、“ＰＣＦ”と称する。）モジュールにある際に、対応する１ｘ／ＨＲＰＤデュアルモード端末（Access Terminal）（以下、“ＭＳ／ＡＴ”と称する。）によりＣＤＭＡ２０００ １ｘページング情報に対して応答する方法に関する。
【０００２】
さらに、本発明は、移動端末に関連し、特に、ネットワーク指示及びその方法に従って、ＨＲＰＤネットワークとＣＤＭＡ２０００１ｘネットワークとの間でスイッチング（switching）する移動端末に関する。
【背景技術】
【０００３】
上記ＣＤＭＡ２０００ １ｘネットワークは、中速及び低速データサービスだけでなく、音声サービスをユーザーに提供する移動ネットワークである。大部分、実際の場合において、上記ＨＲＰＤネットワークは、上記ＣＤＭＡ２０００ １ｘネットワークと協力してサービスに使用される。例えば、上記ＣＤＭＡ２０００ １ｘシステム及び上記ＨＲＰＤシステムは、重複した移動通信サービスを提供する。上記ユーザーは、ＭＳ／ＡＴを上記ＨＲＰＤネットワーク及び上記ＣＤＭＡ２０００ １ｘネットワークに接続するために使用する。しかしながら、干渉またはある他の技術的な問題のため、ＭＳ／ＡＴは、上記２つのネットワークに同時に接続することができない。したがって、特別な技術は、ＭＳ／ＡＴが上記２つのネットワーク間でスイッチングするために必要とされる。
【０００４】
適用の初期段階において、上記ＣＤＭＡ２０００ １ｘネットワークは、上記ＨＲＰＤネットワークと論理的に独立する。そして、上記２つのネットワークのネットワーク側面で何の情報交換も支援されない。しかしながら、技術の発展と伴い、上記２つのネットワーク間で、呼制御及び移動性管理に関する情報が交換されることができるようにするために、上記２つのネットワーク間のリンクが確立される。例えば、上記ＨＲＰＤネットワークで使用されるネットワーク構成に基づく３ＧＰＰ２ Ａ．Ｓ０００７-Ａの場合、すなわち、ＳＣ／ＭＭモジュールがＰＣＦにある場合に、専用インターフェースＡ１ｐは、移動交換センター（Mobile Switch Center：以下、“ＭＳＣ”と称する。）と上記ＨＲＰＤアクセスネットワーク（Access Network：以下、“ＡＮ”と称する。）との間で呼制御に関する情報及び移動性管理情報を送信するために、ＣＤＭＡ２０００ １ｘネットワークのＭＳＣとＨＲＰＤネットワークのＰＣＦとの間で確立される。上記確立されたＡ１ｐインターフェースを有するＨＲＰＤ相互作用構造の参照モデルは、図１に示される。３ＧＰＰ２において、上記ネットワーク構造は、Ａ．Ｓ０００９標準で説明されるのであろう。上記Ａ．Ｓ０００９は、Ａ．Ｓ０００７-Ａ標準の上位バージョンである。この場合に、専用論理的相互作用モジュールＩＷＳは、上記ＰＣＦまたは上記ＡＮに設定されなければならない。上記Ａ．Ｓ０００７-Ａは、上記Ａ１ｐインターフェースでのメッセージと無線インターフェースでの上記３Ｇ１ｘサービスメッセージとの間でスイッチングを遂行するために使用される。この構造は、３ＧＰＰ２において、クロスページング（cross-paging）と呼ばれる。クロスページングをもって、ユーザーがＨＲＰＤネットワークに進入し、Ａ１ｐインターフェースを介して関連した情報を上記ＭＳＣに通知する際に、図２に示すように、上記ＭＳＣは、ある１ｘページングメッセージが上記ＭＳＣに到達すると、上記クロスページングメカニズムにより、このメッセージを送信する。
【０００５】
現在の技術では、ＨＲＰＤネットワーク内のユーザーは、受信された１ｘページングに対して選択することができない。上記ユーザーが上記現在のＨＲＰＤサービスを中断するときだけ、１ｘネットワークに転換し、次の呼フローを継続する。すなわち、送信チャネルがよく確立され、警告メッセージがネットワークから受信された後に、上記ユーザーは、上記ＭＳ／ＡＴにより表示された呼番号を探すことができ、上記呼を受諾するか否かを決定することができる。この場合に、上記ユーザーが上記呼を拒絶すると、次のような問題点が発生するのであろう。
【０００６】
１．１ｘネットワークリソースの浪費
【０００７】
ＭＳ／ＡＴが１ｘネットワークに転換し、無線リンクを確立ときだけ、呼出番号及び呼出名称が見られることができる。この場合に、上記ユーザーが上記呼の受諾を拒絶すると、この呼のために、１ｘネットワークにより割り当てられたリソースは、無意味のものとなる。
【０００８】
２．ＨＲＰＤサービスを中断させ、したがって、ユーザーを慌てさせる。
【０００９】
ＭＳ／ＡＴが現在のＨＲＰＤサービスをまず中断させ、上記３Ｇ１ｘネットワークに転換するときだけ、呼番号が見られることができる。この場合に、上記ユーザーが上記呼の受諾を拒絶すると、この呼のためのＨＲＰＤサービスの中断は、無意味のものとなる。
【００１０】
上記２つのネットワーク間での接続リンクを介して、１つのネットワークを介した上記ページング情報は、もう１つのネットワークを介して上記デュアルモードＭＳ／ＡＴに送信されてもよい。
【００１１】
次のネットワークスイッチングメカニズムは、現在の商用ネットワーク内の大部分のＭＳ／ＡＴにより適用される。：アイドル（idle）または非実時間サービス状態で、上記ＭＳ／ＡＴは、必要な制御情報を受信して送信するために、タイムスロットに従って、１ｘネットワークとＨＲＰＤネットワークとの間で選択的にスイッチングし、設定パラメータを更新し、上記２つのネットワークからのページングに耳を傾ける。呼を開始する際に、上記デュアルモードＭＳ／ＡＴは、上記ユーザーにより選択されたサービスのタイプに従って対応するネットワークに接続する。
【００１２】
現在のところ、実際に、上記デュアルモードＭＳ／ＡＴが上記２つのネットワーク間で頻りにスイッチングすることが必要とされるために、次のような問題が発生する。
【００１３】
１．ＭＳ／ＡＴの待機時間が短くなる。
【００１４】
上記ＭＳ／ＡＴが上記２つのネットワーク間でスイッチングしなければならず、上記２つのネットワークから情報を受信しなければならないために、電力消耗は、増加する
【００１５】
２．サービス遂行に対する影響
【００１６】
例えば、ＭＳ／ＡＴがＨＲＰＤネットワークで非実時間サービスを扱う際に、ＭＳ／ＡＴが１ｘネットワークから情報を規則的に受信しなければならないために、使用中のサービスが影響を受けるのであろう。
【００１７】
３．ページング情報の流失
【００１８】
１つのネットワークで扱うサービスのために、もう１つのネットワークからのページング情報が流失することができる。例えば、上記デュアルモードＭＳ／ＡＴ（現在使用可能な）が１ｘネットワークで音声サービスを取り扱っている際に、上記デュアルモードＭＳ／ＡＴは、上記ＨＲＰＤネットワークから何の情報も受信しない。したがって、上記ＨＲＰＤネットワークからのページングが流失することもある。
【００１９】
上述した問題を解決するために、１つのネットワークからのページング情報がもう１つのネットワークを介して送信されることができることを可能にするために、ネットワーク側面での技術が提案される。本発明において、ＭＳ／ＡＴに対するネットワークから他のネットワークのページング情報は、ネットワーク対ＭＳ／ＡＴ指示の中の１つで定義される。他の種類のネットワーク指示は、他のネットワークへのスイッチングをＭＳ／ＡＴに要請するための特定の条件に従う上記ＭＳ／ＡＴに対するネットワークから送信された制御情報であってもよい。
【００２０】
これまで、ネットワーク指示に対する並列処理を遂行し、ＭＳ／ＡＴが上記ネットワーク指示を受信した後に並列スイッチングを遂行するにあたり、上記ＭＳ／ＡＴに対する何らかの方法や技術が提案されていなかった。
【発明の開示】
【発明が解決しようとする課題】
【００２１】
上述のような背景に鑑みてなされたものであり、本発明の目的は、１ｘページング情報をＨＲＰＤネットワークを介して送信し、ＭＳ／ＡＴにより１ｘページング情報に応答する方法を提供することにある。
【００２２】
本発明の他の目的は、ネットワーク指示に対する並列処理を遂行し、ＭＳ／ＡＴが提案されたネットワーク指示を受信した後にスイッチングする方法と同一の方法を使用するデュアルモードＭＳ／ＡＴを提供することにある。
【課題を解決するための手段】
【００２３】
上記のような目的を達成するために、１ｘページング情報をＨＲＰＤネットワークを介して送信し、デュアルモードＭＳ／ＡＴにより上記１ｘページング情報に応答する方法は、ａ）上記ＭＳ／ＡＴがＨＲＰＤネットワークに転換し、ＰＣＦとＭＳＣとの間のインターフェースを介して関連情報をＭＳＣに送信した後に、１ｘページング情報が到達すると、上記ＭＳＣが１ｘサービス到達を知らせる１ｘサービス到達メッセージを上記ＰＣＦに送信し、上記メッセージが呼出情報を含むステップと、ｂ）上記ＰＣＦが上記ＭＳＣからのメッセージに従って、１ｘサービスの到達をＨＲＰＤ ＡＮに知らせる対応するメッセージを送信するステップと、ｃ）上記ＨＲＰＤ ＡＮが上記ＰＣＦから送信された上記呼出情報を運搬する１ｘサービス到達メッセージを３Ｇ１Ｘサービスパケットに含んで上記ＭＳ／ＡＴに送信するステップと、ｄ）上記ＨＲＰＤネットワークの上記ＭＳ／ＡＴが上記１ｘ到達メッセージを受信した後に、上記ＭＳ／ＡＴが上記メッセージに含まれた呼出情報をユーザーに表示するステップと、ｅ）上記ユーザーが１ｘ呼の受諾を選択すると、上記ＭＳ／ＡＴが上記ＨＲＰＤネットワークのサービスを終了し、“ページング応答”メッセージを１ｘＢＳに送信するために、上記１ｘネットワークに転換するステップと、を含むことを特徴とする。
【００２４】
本発明の方法で、上記ＭＳＣは、現在のＨＲＰＤサービスを中断する前に、上記ユーザーが上記１ｘ呼の重要性を評価し、上記１ｘネットワークにスイッチングするために、上記呼を受諾するか否かを決定できるようにするために、上記呼出情報を含む上記１ｘサービス到達情報を上記ＨＲＰＤネットワークを介して上記ＭＳ／ＡＴに送信する。このような方式で、重要でない１ｘ呼から発生された現在のＨＲＰＤサービスの中断及びその結果として発生する１ｘネットワークリソースの不必要な占有をすべて避けることができる。本発明の方法で、上記ユーザーが上記呼の受諾を拒絶すると、上記ＭＳ／ＡＴは、上記ＭＳＣに対する次の不必要な動作を避けるために、ユーザー拒絶情報を特定のメッセージを用いてＨＲＰＤネットワークを介して上記ＭＳＣに送信することができる。
【００２５】
上述した他の目的を達成するために、ネットワーク指示に従って２つのネットワーク間でスイッチングする装置は、ＭＳ／ＡＴ内での関連モジュール及びＣＤＭＡ２０００モデムとＨＲＰＤモデムとの間のスイッチング動作を制御する制御部と、サービスデータの符号化及び復号化、シグナリングの符号化及び復号化、物理チャネルのスペクトル拡散及び逆拡散、変調及び復調を遂行するＣＤＭＡ２０００モデムと、サービスデータの符号化及び復号化、シグナリングの符号化及び復号化、物理チャネルのスペクトル拡散及び逆拡散、変調及び復調を遂行するＨＲＰＤモデムと、上記ＭＳ／ＡＴの一般的な動作に必要とされるデータを格納するメモリと、上記制御部からの信号の制御下で、無線部を上記ＣＤＭＡ２０００モデムまたは上記ＨＲＰＤモデムとそれぞれ接続するスイッチング部と、上記スイッチング部を介して上記モデムと接続され、基底帯域デジタル信号と無線（ＲＦ）アナログ信号との間の変換を遂行し、上記ＲＦアナログ信号をアンテナを介して送受信する無線部と、を含むことを特徴とする。
【００２６】
上述したさらに他の目的を達成するために、ネットワーク指示に従って２つのネットワーク間でスイッチングする方法は、現在の接続ネットワークを介して他のネットワークスイッチング指示を受信した後に、デュアルモードＭＳ／ＡＴが上記指示を分析し、関連情報をユーザーに表示するステップと、上記ユーザーが“受諾”キーを押すと、制御部がＡＣＫ情報を応答メッセージとして現在のネックワークに送信するステップと、上記ユーザーが“拒絶”キーを押すと、制御部が拒絶情報を応答メッセージとして現在のネットワークに送信するステップと、を含むことを特徴とする。
【００２７】
本発明において、ネットワーク指示及びユーザーの命令に従って、ネットワーク間でスイッチングすることができるデュアルモードＭＳ／ＡＴが提案される。そのようなＭＳ／ＡＴをもって、ネットワーク間で、従来のデュアルモードＭＳ／ＡＴの頻繁なスイッチング及び情報受信からもたらされる問題点及びその結果として生じる問題点がよく解決される。
【発明の効果】
【００２８】
本発明で提案されたネットワークスイッチング方法とともに、上記方法を使用するデュアルモードＭＳ／ＡＴが見られている。ユーザーは、ネットワーク指示情報（例えば、元来のネットワークを介して他のページングメッセージ）に従って通信を遂行するために、デュアルモードＭＳ／ＡＴがもう１つのネットワークにスイッチングすることを指示することができる。
【発明を実施するための最良の形態】
【００２９】
本発明は、１ｘページングをＨＲＰＤネットワークを介して送信し、ＨＲＰＤネットワークで１ｘページングを受信する際に、ＭＳ／ＡＴが処理しなければならない２種類の場合を含む。すなわち、ユーザーは、１ｘ呼を受諾するか否かを決定し、上記ユーザーは、上記１ｘ呼の受諾を拒絶する。それに続くセクション１及びセクション２において、１ｘ呼到達情報を送信する方法及び言及されたプロセスに必要とされる２種類の場合が各々説明される。
【００３０】
３ＧＰＰ２の関連標準に従って、クロックＴ３１１３がタイムアウトされる前に、ＭＳＣがＭＳ／ＡＴから何のページング応答メッセージを受信しないと、上記ＭＳＣは、上記ページングメッセージを再送信する。上記ユーザーが上記呼を受諾するか否かを決定するのに使用される期間が長くなることがある。したがって、上記ＭＳＣからのページングメッセージの不必要な再送信を避けるためには、２つのプロセスがここで適用されることもある。１つは、上記クロックＴ３１１３を長くするものである。すなわち、上記ＭＳＣが１ｘネットワークを介してページング応答メッセージを受信するか、または上記ＨＲＰＤネットワークを介して拒絶メッセージを受信するまで、上記クロックＴ３１１３を停止しないものである。上記クロックＴ３１１３がタイムアウトされると、上記ＭＳＣが上記１ｘネットワークを介して何のページング応答メッセージもＭＳ／ＡＴから受信していないか、または、上記ＨＲＰＤネットワークを介して何の拒絶メッセージも受信していない場合を除いては、上記ＭＳＣは、予め定められた再送信時間が満足するまで、上記１ｘサービス到達メッセージを再送信するのであろう。方法１において、上記ＭＳ／ＡＴは、上記１ｘサービス到達メッセージをＡＮから受信した後に、ＡＣＫメッセージを応答メッセージとしてＡＮに送信しない。２番目の方法は、上記クロックＴ３１１３を２つのクロックＴ１とＴ２とに分けるものだ。上記Ｔ１及びＴ２の両方は、上記ＭＳＣが１ｘ呼到達メッセージを送信している時間に開始される。上記ＨＲＰＤネットワークのＭＳ／ＡＴは、上記１ｘサービス到達メッセージを受信した後に、ＡＮＫメッセージを応答メッセージとしてＡＮに送信する。上記ＡＮは、このＡＣＫメッセージをＰＣＦに伝達する。その後、上記ＰＣＦは、それを上記ＭＳＣに伝達する。Ｔ１は、上記ＭＳＣが上記１ｘ呼応答メッセージを上記ＭＳ／ＡＴからＨＲＰＤネットワークを介して受信する際に停止する。上記ＭＳＣが何の１ｘ呼応答メッセージもＭＳ／ＡＴから受信せず、クロックＴ１がタイムアウトされると、上記ＭＳＣは、予め定められた再送信時間が満足するときまで、上記１ｘ呼到達メッセージを再送信する。Ｔ２は、上記ＭＳＣが上記１ｘネットワークを介して上記ページング応答メッセージを受信するか、または上記ＨＲＰＤネットワークを介して上記拒絶メッセージを受信する際に停止する。上記ＭＳＣが上記１ｘネットワークを介してＭＳ／ＡＴから何のページング応答メッセージも受信しないか、または、上記ＨＲＰＤネットワークを介して何の拒絶メッセージも受信せず、クロックＴ２がタイムアウトされると、上記ＭＳＣは、この１ｘ呼を終了する。方法２において、上記ＭＳＣは、クロックＴ１が停止した後にクロックＴ２を開始することができる。下記の説明において、方法２が１つの例として挙げられる。１番目の方法は、次を除いては、２番目の方法と類似している。すなわち、１番目の方法では、上記ＭＳ／ＡＴが“１ｘサービスメッセージが正しく受信された”というメッセージを応答メッセージとして上記ＨＲＰＤネットワークを介して上記ＭＳＣに送信する動作フローがない。
【００３１】
１．ユーザーは、１ｘ呼を受諾するか否かを決定する。
【００３２】
図３は、本発明の実施形態によるユーザーが１ｘ呼の受諾を選択する動作フローを示す図である。
【００３３】
図３を参照すると、ステップは、次の通りである。
【００３４】
３０１）ＭＳＣがそのサービス地域内のＭＳ／ＡＴを決定する呼を受信する際に、上記ＭＳＣは、１ｘ呼到達メッセージをＨＲＰＤ ＰＣＦに送信する。上記メッセージは、呼出番号、呼出名称などのような呼出情報を含む。幾つかの方法は、上記１ｘ呼到達メッセージを表現するのに適用されることができる。例えば、ａ）呼出番号要素、呼出名称要素などの上記呼出情報要素を付加するためにページング要請メッセージを拡張するもの、ｂ）サービスオプション要素を付加するために特徴通知メッセージを拡張するもの、ｃ）上記ページング要請メッセージと上記特徴通知メッセージとを組み合せて送信するもの。加えて、このような機能は、上記拡張されたメッセージまたはメッセージの組合せが上記ページング要請メッセージの情報及び上記呼出情報を含むと、ある他のメッセージを拡張するか、または他のメッセージを組み合せることにより実現されることができる。
【００３５】
一方、上記ＭＳＣは、“ページング要請”メッセージを呼び出されたＭＳ／ＡＴが到達することができる１つ又はそれ以上のサービス１ｘＢＳに送信する。この“ページング要請”メッセージは、“共通ページング”メッセージを無線インターフェースを介して上記呼び出されたＭＳ／ＡＴに送信しないことを上記１ｘＢＳに知らせるために、仮想ページング指示子（Virtual  Paging Indicator：ＶＰＩ）を含むことができる。
【００３６】
３０２）上記ＨＲＰＤ ＰＣＦは、“Ａ１４-３Ｇ１ｘサービス”メッセージを上記ＨＲＰＤ ＡＮに送信する。このメッセージが含む内容は、上記ＰＣＦが上記ＭＳＣから受信するメッセージに従って構成される。例えば、上記ＰＣＦは、上記共通ページングメッセージを上記ＭＳＣから受信されたメッセージに従って、“Ａ１４-３Ｇ１ｘサービス”メッセージが含む内容として構成することができる。この共通ページングメッセージには、上記呼出情報要素が対応して付加される。また、上記ＰＣＦは、上記ＭＳＣから受信されたメッセージに従って、拡張されたサービスメッセージを“Ａ１４-３Ｇ１ｘサービス”メッセージが含む内容として構成することができる。上記ＰＣＦが受信したものが上記ページング要請メッセージと上記特徴通知メッセージとの組合せである場合には、上記ＰＣＦは、上記ページング要請メッセージに従って、上記共通ページングメッセージを上記“Ａ１４-３Ｇ１ｘサービス”メッセージが含む内容として構成することができ、上記特徴要請メッセージを他の“Ａ１４-３Ｇ１ｘサービス”メッセージが含むか、または、同一の“Ａ１４-３Ｇ１ｘサービス”内で上記共通ページングメッセージ及び上記特徴通知メッセージの全てを含む内容として作ることができる。
【００３７】
上記ＰＣＦが上記“Ａ１４-３Ｇ１ｘサービス”メッセージを送信する間に、上記ＰＣＦは、Ｔ１ｘｓｐ１４のようなクロックを開始することができる。上記Ｔ１ｘｓｐ１４は、上記ＰＣＦが上記“Ａ１４-３Ｇ１Ｘサービス応答”メッセージを受信した後に停止する。
【００３８】
３０３）上記ＨＲＰＤ ＡＮは、上記ＰＣＦからメッセージを受信した後に、対応するサービス応答メッセージ（例えば、Ａ１４-３Ｇ１ｘサービス応答メッセージ）を上記ＰＣＦに送信する。上記応答メッセージを受信すると、上記ＰＣＦは、クロックＴ１ｘｓｐ１４を停止させる。
【００３９】
３０４）上記ＨＲＰＤ ＡＮは、上記ＨＲＰＤ ３Ｇ１ｘサービスパケットを上記ＭＳ／ＡＴに送信する。上記ＡＮにより上記ＰＣＦから受信された上記Ａ１４-３Ｇ１ｘサービスメッセージで運搬されるその内容は、上記ＨＲＰＤ ３Ｇ１Ｘサービスパケットに運搬される内容として使用される。
【００４０】
３０５）ステップ３０４で、上記ＡＮから送信されたメッセージを受信すると、上記ＭＳ／ＡＴは、パケットＡＣＫメッセージまたは３Ｇ１ｘ ＭＳ／ＡＴ ＡＣＫ ＯｒｄｅｒなどのようなＡＣＫメッセージを応答メッセージとして上記ＡＮに送信する。
【００４１】
３０６）上記ＡＮは、対応するＡＣＫメッセージを上記ＰＣＦに送信する。
【００４２】
３０７）上記ＰＣＦは、上記ＭＳ／ＡＴが上記１ｘサービス到達メッセージを上記ＨＲＰＤネットワークを介して既に受信したことを示すＡＣＫメッセージ（例えば、特徴通知ＡＣＫメッセージ）を上記ＭＳＣに送信する。
【００４３】
３０８）上記ユーザーは、上記１ｘ呼を受諾するか否かを決定する。
【００４４】
３０９）上記ＭＳ／ＡＴは、１ｘシステムに移動し、上記ページング応答メッセージを１ｘネットワークのアクセスチャネルを介して肯定応答として送信する。
【００４５】
３１０）上記１ｘＢＳは、上記ページング応答メッセージを構成し、それを完全な３レイヤー情報メッセージに含ませた後に、上記ＭＳＣに送信する。上記ＭＳＣは、クロックＴ２を停止させる。次のフローは、３ＧＰＰ２の関連した標準に従って遂行される。
【００４６】
ステップ３０３及びステップ３０４において、両ステップ間には、何の順次的な関係も存在しない。
【００４７】
ユーザーが１ｘ呼を受諾するか否かを選択する動作フローは、図３に示される。
【００４８】
動作の便宜のために、ユーザーは、その次のステップで、ＭＳ／ＡＴの自動動作に代えて“応答”キーを押すステップを省略してもよい。
【００４９】
２．ユーザーが１ｘ呼の受諾を拒絶する。
【００５０】
図４は、本発明の実施形態によるユーザーが１ｘ呼の受諾を拒絶する動作フローを示す図である。図４を参照すると、この場合は、次のステップを含む。
【００５１】
ステップ４０１乃至ステップ４０７は、セクション１において、ステップ３０１乃至ステップ３０７と同一である。
【００５２】
４０８）上記ユーザーは、上記１ｘ呼の受諾を拒絶する。
【００５３】
４０９）呼び出されたＭＳ／ＡＴは、上記ユーザーが上記呼の受諾を拒絶することを知らせる応答メッセージ（例えば、３Ｇ１ｘ：移動局拒絶命令）をＨＲＰＤ ＡＮに送信する。
【００５４】
４１０）上記ＡＮは、対応する拒絶命令を構成し、ＰＣＦに送信する。
【００５５】
４１１）上記ＰＣＦは、対応する拒絶命令を構成し、上記ＭＳＣに送信する。このメッセージを受信すると、上記ＭＳＣは、クロックＴ２を停止させる。その後、上記ＭＳＣは、３ＧＰＰ２関連動作フローに従って、上記１ｘ呼を終了する。
【００５６】
ユーザーが１ｘ呼の受諾を拒絶する動作フローは、図４に示される。
【００５７】
３．ユーザーの選択に関して
【００５８】
上記ＨＲＰＤネットワークにおいて、ユーザーが１ｘ呼を受諾するか否かを決定するために、２種類の選択が提供される。１つは、ユーザーが時間ごとに選択するものである。上記ＨＲＰＤネットワークにおいて、上記ＭＳ／ＡＴが上記１ｘページング情報を受信すると、上記ＭＳ／ＡＴは、上記ユーザーが選択して呼出番号を表示することを通知しなければならない。上記ユーザーは、マン-マシンインターフェースを介して選択することができる。上記ユーザーが上記呼の受諾を拒絶すると、即刻的な信号がなくなるが、上記ＨＲＰＤサービスは、中断されない。もう１つは、事前に設定するものである。上記ユーザーは、上記ＭＳ／ＡＴが１ｘ呼を拒絶するか、または受諾するように予め設定することができる。上記設定は、全ての呼番号または幾つの特定の呼番号に対してなされることができる。１ｘ呼が到達すると、上記ＭＳ／ＡＴは、上記ユーザーの事前設定に従って動作する。
【００５９】
以下の図５乃至図９を参照して、現在のネットワークを介して指示を受信して分析し、上記ＭＳ／ＡＴの現在の状態及びユーザーの命令に従って、ネットワーク間でスイッチングすることができる特徴を有するＣＤＭＡ２０００／ＨＲＰＤデュアルモードＭＳ／ＡＴを成就するための本発明の詳細について説明する。
【００６０】
主題をさらに明らかにするために、公知の機能及び構成についての詳細な説明を省略する。
【００６１】
上記ＭＳ／ＡＴの現在の状態及びユーザーの命令、ネットワーク指示に従ってネットワーク間でスイッチングすることができるデュアルモードＭＳ／ＡＴを支援するために、構成要素がデュアルモードＭＳ／ＡＴに含まれる。
【００６２】
図５は、本発明の実施形態によるデュアルモードＭＳ／ＡＴの構成を示すブロック図である。
【００６３】
図５に示すように、基本機能は、次の通りである。
【００６４】
アンテナ５０１
アンテナ５０１は、無線信号を送受信するために使用される。このアンテナは、ＣＤＭＡ２０００ネットワーク及びＨＲＰＤネットワークで適用されるすべての周波数信号を受信することができる。
【００６５】
無線部５０２
無線部５０２は、基底帯域デジタル信号とＲＦアナログ信号との間の変換、上記ＲＦアナログ信号の送受信などのために使用される。上記無線部は、スイッチング部５０３を介してモデムと接続する。
【００６６】
スイッチング部５０３
スイッチング部５０３は、制御部５０６からの信号の制御を受け、無線部をＣＤＭＡ２０００モデム５０４またはＨＲＰＤモデム５０５とそれぞれ接続するために使用される。
【００６７】
ＣＤＭＡ２０００モデム５０４
ＣＤＭＡ２０００モデム５０４は、ＣＤＭＡ２０００サービスデータ及びシグナリングの符号化及び複号化、スペクトル拡散及び逆拡散、物理チャネルの変調及び復調を遂行するために使用される。
【００６８】
ＨＲＰＤモデム５０５は、実行において、それは、通常、ＣＤＭＡ２０００モデムと同一の物理的エンティティーとを共有する。しかしながら、ＨＲＰＤモデムは、ＨＲＰＤサービスデータ及びシグナリングの符号化及び復号化、スペクトル拡散及び逆拡散、物理チャネルの変調及び復調のために使用される。ソフトウェアモジュールは、上記ＨＲＰＤネットワークに対応する。ある瞬間に、２つのモデム（ＣＤＭＡモデム及びＨＲＰＤモデム）のうちの１つだけが動作する。
【００６９】
制御部５０６
制御部５０６は、端末機のアプリケーションレイヤーにおいて、ソフトウェアのための駆動プラットホームの提供、アプリケーションソフトウェアモジュールの包含、無線インターフェースシグナリングの送信、受信、及び処理、そして、ページングプロセスなどの制御のような構成部の動作を制御する。制御部は、相互協力して動作するように、端末内のすべての関連モジュールを制御する。また、制御部は、ＣＤＭＡ２０００モデムとＨＲＰＤモデムとの間のスイッチングを制御する。詳細には、制御部は、どんなモデムがクロック、ネットワーク指示、及びユーザーの命令などのようなファクターに従ってイネーブルされることができるか否かを決定する。ＣＤＭＡ２０００モデムが対応する無線部、メモリ、表示部、キーボードなどと協力してイネーブルされると、上記デュアルモジュールＭＳ／ＡＴは、ＣＤＭＡ２０００ １ｘネットワークに接続するように考慮される。上記ＨＲＰＤモデムが対応する無線部、メモリ、表示部、キーボードなどと協力してイネーブルされると、上記デュアルモードＭＳ／ＡＴは、上記ＨＲＰＤネットワークに接続されるように考慮される。
【００７０】
メモリ５０７は、端末機内のデータメモリ部である。それは、端末機の通常的な動作に必要とされるデータを記憶する。
【００７１】
表示部５０８について、一般的に、表示部は、ＬＣＤなどを含む。制御部の制御下で、それは、メッセージ、アイコンなどを表示することができる。
【００７２】
キーボード５０９
キーボード５０９は、情報を入力し、ユーザーの入力情報を制御部に伝達するために使用される。表示部、スピーカー、及びマイクロフォンなどとともに、ユーザーとＭＳ／ＡＴとの間のインターフェース機能が遂行されることができる。本発明において、上記キーボードは、ネットワークを介して送信されたネットワークスイッチング指示を受諾するのに使用される“受諾（accept）”キーとネットワークを介して送信されたネットワークスイッチング指示を拒絶するのに使用される“拒絶（reject）”キーとをさらに含む。実現において、上記ユーザーに何の混同もないという前提に基づいて、この２つのキーは、ＭＳ／ＡＴのキーボードの他の機能キーと物理的に結合されてもよい。
【００７３】
スピーカー５１０
スピーカー５１０は、キュートーン（cue tone）などのような音声を出力するのに使用される。
【００７４】
電源部５１１
電源部５１１は、電力供給を全てのモジュールに提供する。
【００７５】
また、ＭＳ／ＡＴは、マイクロフォンを有しなければならないが、図面には示されていない。
【００７６】
ユーザーにより開始された一般的な呼処理の間に、ユーザーは、キーボード５０９及び表示部５０８で構成されたマン-コンピュータ間のインターフェースを介して制御部５０６に命令を送信することにより呼を開始する。ユーザーの指示を受信すると、制御部５０６は、ユーザーが指示したサービスタイプ及び事前設定に従って、ネットワークスイッチングを遂行し、対応する制御を開始し、モジュールを処理するか否かを決定する。動作するネットワークに従って、制御部５０６は、ＣＤＭＡ２０００モデム５０４またはＨＲＰＤモデム５０５を処理部にし、ネットワークと呼を確立するためにシグナリングメッセージを構成する。その後、制御部５０６は、表示部５０８またはスピーカー５１０を介して関連情報をユーザーに通知する。これから、ユーザーは、呼処理を開始する。上記マイクロフォンを介して、ユーザーの音声は、符号化及び変調のために、ＣＤＭＡ２０００モデム５０４またはＨＲＰＤモデム５０５に送信される。同時に、受信された無線チャネルフレームは、ＣＤＭＡ２０００モデム５０４またはＨＲＰＤモデム５０５により復調され復号される。このような過程に必要とされる支援は、制御部５０６、無線部５０２、メモリモジュール５０７、及びバッテリーモジュール５１１により提供される。
【００７７】
他のネットワークスイッチング過程の間に、上記ネットワークスイッチング指示は、ネットワークを介してＭＳ／ＡＴのアンテナにより受信され、無線部により処理され、モデムに伝達される。上記モデムにより復調されると、上記指示信号は、分析されるために制御部に送信される。その後、上記関連情報は、上記表示部によりユーザーに表示される。同時に、スピーカーまたはある他のマン-コンピュータ間のインターフェースは、“受諾”キーを押すかまたは“拒絶”キーを押すかを選択することをユーザーに知らせ、上記ユーザーは、上記キーボードを用いてその選択を入力する。上記ユーザーが“拒絶”キーを押すと、入力コントローラは、現在のモデムと無線部との間の接続を維持する。上記ユーザーが“受諾”キーを押すと、上記入力コントロールは、上記スイッチング部により現在のモデムと無線部との接続を切る。しかしながら、もう１つのモデムと無線部との間の接続を確立する。（図９に示す通りである。）
【００７８】
図８は、本発明の実施形態によるデュアルモードＭＳ／ＡＴにより接続された移動通信システムのサービス領域の分布を概略的に示す図である。
【００７９】
デュアルモードＭＳ／ＡＴ８０１は、ＣＤＭＡ２０００ネットワーク８０２及びＨＲＰＤネットワーク８０３の領域に位置する。本発明において、デュアルモードＭＳ／ＡＴ８０１がＣＤＭＡ２０００ネットワーク８０２及びＨＲＰＤネットワーク８０３への時分割多重接続を遂行し、それにより、通信サービスを受諾すると仮定する。特に、デュアルモードＭＳ／ＡＴ８０１は、呼、短文メッセージ、及び他の情報をＣＤＭＡ２０００ネットワーク８０２及びＨＲＰＤネットワーク８０３を介してネットワークから受信してもよい。追加的に、呼、短文メッセージ、及び他の情報をＣＤＭＡ２０００ネットワーク８０２及びＨＲＰＤネットワーク８０３を介して他のネットワークから受信してもよい。デュアルモードＭＳ／ＡＴ８０１を有するユーザーは、ＣＤＭＡ２０００ネットワーク８０２とＨＲＰＤネットワーク８０３との間で必要な１つを選択することができ、呼を選択されたシステムに送信することができる。
【００８０】
本発明において、デュアルモードＭＳ／ＡＴ８０１がＣＤＭＡ２０００ネットワークまたはＨＲＰＤネットワークに接続し、アイドル（idle）状態または動作状態のうちのいずれか１つに滞在する場合に、現在の接続ネットワークを介して他のネットワークのページング情報を受信すると、上記ページング情報を処理し、ユーザーに新たな呼を通知する。上記ユーザーは、“受諾”または“拒絶”キーを押すことにより選択することができる。本発明において、上記ユーザーが“受諾”キーを押したか、または“拒絶”キーを押したかを確認した後に、デュアルモードＭＳ／ＡＴ８０１は、対応する動作を遂行する。上記ユーザーが“受諾”キーを押すと、デュアルモードＭＳ／ＡＴ８０１は、現在のネットワークを抜け出て、上記呼に対して応答するために、もう１つのネットワークに接続する。上記ユーザーが“拒絶”キーを押すと、デュアルモードＭＳ／ＡＴ８０１は、現在のネットワークに滞在し、現在のネットワークを介して拒絶メッセージを送信するか、または、単純に上記呼を無視する。
【００８１】
これから、ネットワーク指示に従ってネットワークスイッチングを遂行するためのデュアルモードＭＳ／ＡＴの動作を図６を参照して説明する。
【００８２】
他のネットワークスイッチング指示は、主に、ネットワーク間のインターフェース（例えば、以前に紹介されたＡ１ｐインターフェースまたはネットワーク間のある他のインターフェース）を介して、他のネットワークから転送された他のネットワークページング情報を含む。元来のネットワークにおいて、このページング情報は、表示情報（identification  information）、または、ある他のメッセージに付加されたページングメッセージにより送信されてもよい。例えば、ＣＤＭＡ２０００ネットワークにおいて、共通ページングメッセージ内のサービスオプション部は、ページングがＨＲＰＤネットワークから由来したものであることを示すための特定の値として設定されてもよい。他のページング情報は、データバーストメッセージのモードで送信されてもよい。上記ＨＲＰＤネットワークにおいて、上記他のページング情報は、ＨＲＰＤ ３Ｇ １ｘデータパケットに含まれて送信されてもよい。他のネットワークスイッチング指示は、元来のネットワークがＭＳ／ＡＴのもう１つのネットワークへのスイッチングを希望することを知らせるために、その状態（例えば、ネットワーク負荷状態）に従って、元来のネットワークにより構成されてもよい。
【００８３】
図６に示すように、デュアルモードＭＳ／ＡＴは、ステップ６０１で、ＣＤＭＡ２０００ネットワークまたはＨＲＰＤネットワークに接続し、アイドル（idle）状態または動作状態のうちのいずれか１つに滞在する。この場合に、上記デュアルモードＭＳ／ＡＴは、主に自身が現在位置しているネットワークと通信する。時々、位置更新などのために短い時間の間にもう１つのネットワークにスイッチングすることができる。一般的に、デュアルモードＭＳ／ＡＴは、もう１つのネットワークで関連動作を完了した後に、元来のネットワークにさらにスイッチングすることができる。デュアルモードＭＳ／ＡＴは、ネットワークスイッチング指示も受信せず、ユーザー指示（これは、幾つの動作を遂行するために、それがもう１つのネットワークにスイッチングするように要請するためのマン-コンピュータ間のインターフェースを介してユーザーにより送信される。）も受信しない場合には、元来の状態を保持する。デュアルモードＭＳ／ＡＴが、ステップ６０２で、現在の接続ネットワークを介してネットワークスイッチング指示を受信すると、制御部５０６は、この指示を分析し、呼出番号、サービスタイプ、呼出時間などのような関連情報をユーザーに表示し、ユーザーの選択を待機する。この後、上記制御部は、表示部５０８またはスピーカー５１０のようなマン-コンピュータ間のインターフェース部を介して関連情報を上記ユーザーに想起させる。ステップ６０４で、上記ユーザーがネットワークスイッチングの遂行に同意するために、“受諾”キー７０１（図７に図示される。）を押すと、制御部５０６は、ＡＣＫ情報を応答メッセージとして現在のネットワークに送信する。この後、上記制御部は、このモジュールの現在のネットワークに関連した制御部分または現在のネットワークに対応するモデムをディスエーブルし、このモジュールのもう１つのネットワークに関連した制御部分及びもう１つのネットワークに対応するモデムをイネーブルする。したがって、上記ネットワークスイッチングは、完了し、手続きは、ステップ６０５に進む。ステップ６０４で、上記ユーザーが“拒絶”キー７０２（図７に図示される。）を押すと、制御部５０６は、ユーザー拒絶情報を応答メッセージとして現在のネットワークに送信する。その後、上記制御部は、このモジュールの現在のネットワークに関連した制御部分及び現在のネットワークに対応するモデムを継続して使用し、デュアルモードＭＳ／ＡＴは、現在のネットワークに継続して接続する。上記手続きは、ステップ６０１に戻る。
【００８４】
上記スイッチングプロセスの間に、ユーザーの便宜のために、ＭＳ／ＡＴは、受信された他のネットワークスイッチング指示に従って、もう１つのネットワークにスイッチングするか否かを決定することができる。このようにして、何のユーザーの動作段階も必要としない。ユーザーまたは製造者は、事前設定を行うことができる。上記事前設定の内容は、あるサービスが遮断されるか否かに対するサービスの優先順位であることができる。
【００８５】
以上、本発明につき、特定の好ましい実施形態を挙げて説明してきたが、添付された特許請求の範囲に定義されるような本発明の精神及び範囲から逸脱することなく様々な変形または変更が可能であるということが、当該技術分野における通常の知識を持つ者にとっては明らかである。
【図面の簡単な説明】
【００８６】
【図１】Ａ１ｐインターフェースが設定された場合におけるＨＲＰＤ相互作用構造に対する参照モデル（ＳＣ／ＭＭ機能がＰＣＦで遂行される。）を示す図である。
【図２】１ｘページング情報がＨＲＰＤネットワークを介して送信され、対応するデュアルモードＭＳ／ＡＴが上記１ｘページング情報に対して応答する従来の動作フローを示す図である。
【図３】本発明の実施形態によるユーザーが１ｘ呼の受諾を選択する動作フローを示す図である。
【図４】本発明の実施形態によるユーザーが１ｘ呼の受諾を拒絶する動作フローを示す図である。
【図５】本発明の実施形態によるデュアルモードＭＳ／ＡＴの構成を示すブロック図である。
【図６】本発明の実施形態によるネットワークスイッチングの動作フローを示す図である。
【図７】本発明の実施形態によるネットワークスイッチングを遂行する際におけるデュアルモードＭＳ／ＡＴのスクリーン及びキーボードを概略的に示す図である。
【図８】本発明の実施形態によるデュアルモードＭＳ／ＡＴにより接続された移動通信システムのサービス領域の分布を概略的に示す図である。
【図９】モデムと無線部との間の接続制御を示す図である。
【符号の説明】
【００８７】
５０１  アンテナ
５０２  無線部
５０３  スイッチング部
５０４  ＣＤＭＡ２０００モデム
５０５  ＨＲＰＤモデム
５０６  制御部
５０７  メモリ
５０８  表示部
５０９  キーボード
５１０  スピーカー
５１１  電源部
【図１】
2009517894.tif 000003
【図２】
2009517894.tif 000004
【図３】
2009517894.tif 000005
【図４】
2009517894.tif 000006
【図５】
2009517894.tif 000007
【図６】
2009517894.tif 000008
【図７】
2009517894.tif 000009
【図８】
2009517894.tif 000010
【図９】
2009517894.tif 000011
【国際調査報告】
2009517894.tif 000012
2009517894.tif 000013